(57)【要約】      （修正有）【課題】構造強度が大幅に増強される電気コネクタを提供する。【解決手段】第一絶縁本体１０と、接地端子２０と、複数の導電端子と、第二絶縁本体４０とを備える。接地端子２０は第一絶縁本体１０の中間部に一体成形されると共に基板２１を有し、基板２１の二側にはそれぞれ前方外向きに湾曲されて延伸される延伸ピン２２が形成され、延伸ピン２２は第一絶縁本体１０の二側から外に向けて延出され、複数の導電端子は第一絶縁本体１０に一体成形され、複数の導電端子は複数の第一導電端子３１及び複数の第二導電端子３２を含む。第一導電端子３１及び第二導電端子３２は第一絶縁本体１０の上表面及び下表面にそれぞれ横方向に並列され、第二絶縁本体４０は第一絶縁本体１０、接地端子２０及び複数の導電端子の外に一体成形される。【選択図】図２
0003205401.tif 000002
【実用新案登録請求の範囲】
【請求項１】
第一絶縁本体と、
第一絶縁本体の中間部に一体成形され、基板を有し、基板の二側にはそれぞれ前方外向きに湾曲されて延伸されて延伸ピンが形成され、延伸ピンは第一絶縁本体の二側から外に向けて延出される接地端子と、
第一絶縁本体に一体成形され、且つ複数の第一導電端子及び複数の第二導電端子を含み、第一導電端子及び第二導電端子は第一絶縁本体の上表面及び下表面にそれぞれ横方向に並列される複数の導電端子と、
第一絶縁本体、接地端子及び複数の導電端子の外に一体成形される第二絶縁本体とを備えることを特徴とする電気コネクタ。
【請求項２】
前記各第一導電端子は、長形状の第一固持部と、第一固持部の前端から前に向けて延伸されて形成される第一弾性アーム部と、第一弾性アーム部の末端から前方下向きに湾曲された後に前方上向きに延伸されて形成される第一当接部と、第一固持部の後端から後方下向きに湾曲された後に後方上向きに延伸されて形成される第一溶接部とを有し、各第二導電端子は、長形状の第二固持部と、第二固持部の前端から前に向けて延伸されて形成される第二弾性アーム部と、第二弾性アーム部の末端から前方上向きに湾曲された後に前方下向きに延伸されて形成される第二当接部と、第二固持部の後端から後方上向きに湾曲された後に後方下向きに延伸されて形成される第二溶接部とを有することを特徴とする、請求項１に記載の電気コネクタ。
【考案の詳細な説明】
【技術分野】
【０００１】
本考案は、電気コネクタに関する。
【背景技術】
【０００２】
従来の電気コネクタは、第一絶縁本体と、複数の導電端子と、外ケースとを備える。第一絶縁本体には複数の導電端子溝が開設される。複数の導電端子は端子溝内に装設され、外ケースにより第一絶縁本体が被覆される。
【考案の概要】
【考案が解決しようとする課題】
【０００３】
しかしながら、前述した従来の電気コネクタでは、すなわち、上述の電気コネクタの導電端子は機構統合方式により第一絶縁本体に装設されるが、現在では電気コネクタの広い発展に伴って薄型化が進んでいるため、装設後の構造強度が大きく低下している。
【０００４】
そこで、本考案者は上記の欠点が改善可能と考え、鋭意検討を重ねた結果、合理的かつ効果的に課題を改善する本考案の電気コネクタの提案に到った。
【０００５】
本考案は、以上の従来技術の課題を解決する為になされたものである。即ち、本考案は、電気コネクタを提供することを主目的とする。つまり、前記電気コネクタの構造が単純になり、配線の応用プロセスが省略される。
【課題を解決するための手段】
【０００６】
上述した課題を解決し、目的を達成するために、本考案に係る電気コネクタは、第一絶縁本体と、第一絶縁本体の中間部に一体成形され、基板を有し、基板の二側にはそれぞれ前方外向きに湾曲されて延伸されて延伸ピンが形成され、延伸ピンは第一絶縁本体の二側から外に向けて延出される接地端子と、第一絶縁本体に一体成形され、且つ複数の第一導電端子及び複数の第二導電端子を含み、第一導電端子及び第二導電端子は第一絶縁本体の上表面及び下表面にそれぞれ横方向に並列される複数の導電端子と、第一絶縁本体、接地端子及び複数の導電端子の外に一体成形される第二絶縁本体とを備えることを特徴とする。
【考案の効果】
【０００７】
上述したように、本考案に係る電気コネクタは、まず、接地端子がインモールド射出成形により第一絶縁本体に一体成形され、続いて、第一絶縁本体及び接地端子の成形品、複数の導電端子及び第二絶縁本体がインモールド射出成形により一体成形され、複数の導電端子が第一絶縁本体に一体成形される。２回のインモールド一体成形を経て、電気コネクタの構造強度が大幅に増強される。
【図面の簡単な説明】
【０００８】
【図１】本考案の好ましい実施形態による電気コネクタを示す外観斜視図である。
【図２】図１に示す電気コネクタを示す展開図である。
【図３】図１に示す電気コネクタの第一絶縁本体と接地端子を示す外観斜視図である。
【図４】図１に示す電気コネクタの第一絶縁本体と接地端子と導電端子を示す外観斜視図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
以下、本考案の実施形態について、図面を参照しながら説明する。本考案の電気コネクタ１００は、第一絶縁本体１０と、接地端子２０と、複数の導電端子３０と、第二絶縁本体４０とを備える（図１及び図２参照）。
【００１１】
なお、図１及び図２に示すように、前記接地端子２０は第一絶縁本体１０の中間部に一体成形され、接地端子２０は基板２１を有し、基板２１の二側にはそれぞれ前方外向きに湾曲されて延伸される延伸ピン２２が形成され、延伸ピン２２は外に向けて第一絶縁本体１０の二側から延出される。
【００１２】
前記複数の導電端子３０は第一絶縁本体１０に一体成形され、複数の導電端子３０は複数の第一導電端子３１及び複数の第二導電端子３２を備え、第一導電端子３１及び第二導電端子３２は第一絶縁本体１０の上表面及び下表面にそれぞれ横方向に並列される。各第一導電端子３１は、長形状の第一固持部３１１と、第一固持部３１１の前端から前に向けて延伸されて形成される第一弾性アーム部３１２と、第一弾性アーム部３１２の末端から前方下向きに湾曲された後に前方上向きに延伸されて形成される第一当接部３１３と、第一固持部３１１の後端から後方下向きに湾曲された後に後方上向きに延伸されて形成される第一溶接部３１４とを有する。各第二導電端子３２は長形状の第二固持部３２１と、第二固持部３２の前端から前に向けて延伸されて形成される第二弾性アーム部３２２と、第二弾性アーム部３２２の末端から前方上向きに湾曲された後に前方下向きに延伸されて形成される第二当接部３２３と、第二固持部３２１の後端から後方上向きに湾曲された後に後方下向きに延伸されて形成される第二溶接部３２４とを有する。
【００１３】
前記第二絶縁本体４０は、第一絶縁本体１０、接地端子２０及び複数の導電端子３０の外に一体成形される。
【００１４】
さらに、図１乃至図４に示すように、本考案に係る電気コネクタ１００の装設では、まず接地端子２０がインモールド射出成形により第一絶縁本体１０の中間部に一体成形され、第一絶縁本体１０の上表面に複数の導電端子溝１１が成形され、基板２１の前端は第一絶縁本体１０の前表面から延出され、延伸ピン２２は第一絶縁本体１０の二側から外に向けて延出される。その後、複数の導電端子３０が端子溝１１内に装設され、第二絶縁本体４０がインモールド射出成形により第一絶縁本体１０、接地端子２０の成形品及び複数の導電端子３０の外に一体成形される。具体的には、第一導電端子３１の第一固持部３１１及び第二導電端子３２の第二固持部３２１は第一絶縁本体１０の上表面及び下表面にそれぞれ一体成形され、第一弾性アーム部３１２及び第二弾性アーム部３２２は第一絶縁本体１０の前表面から延出され、第一溶接部３１４及び第二溶接部３２４は第一絶縁本体１０の後表面から延出される。第二絶縁本体４０は第一絶縁本体１０の上表面及び下表面に一体成形される。
【００１５】
結論として、本考案の電気コネクタ１００は、まず、接地端子２０がインモールド射出成形により第一絶縁本体１０に一体成形され、その後、第一絶縁本体１０及び接地端子２０の成形品、複数の導電端子３０及び第二絶縁本体４０がインモールド射出成形により一体成形され、複数の導電端子３０が第一絶縁本体１０に一体成形される。２回のインモールド一体成形を経て、電気コネクタ１００の構造強度が大幅に増強される。
【００１６】
以上、本考案の実施形態について図面を参照して詳述したが、具体的な構成はこの実施形態に限られるものではなく、本考案の要旨を逸脱しない範囲の設計変更等も含まれる。
【符号の説明】
【００１７】
１００  電気コネクタ
１０  第一絶縁本体
１１  導電端子溝
２０  接地端子
２１  基板
２２  延伸ピン
３０  導電端子
３１  第一導電端子
３１１  第一固持部
３１２  第一弾性アーム部
３１３  第一当接部
３１４  第一溶接部
３２  第二導電端子
３２１  第二固持部
３２２  第二弾性アーム部
３２３  第二当接部
３２４  第二溶接部
４０  第二絶縁本体
【図１】
0003205401.tif 000003
【図２】
0003205401.tif 000004
【図３】
0003205401.tif 000005
【図４】
0003205401.tif 000006